【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
ＡＳＴＭ  Ｄ４４５規格に従い測定される１００℃での動粘度が５．５〜７ｍｍ２／ｓである、ギアボックス用の潤滑剤組成物であって、
−リン含有、硫黄含有、またはリン−硫黄含有の、少なくとも１種の耐摩耗剤および／または極圧剤と、
−式：ＲＣＯＯＣＨ３で表される少なくとも１種の脂肪酸メチルエステル（式中、Ｒは炭素数１１〜２３のパラフィン基またはオレフィン基である）を少なくとも３０重量％と、
を含み、さらに、
（ｉ）ＡＳＴＭ  Ｄ４４５規格に従い測定される１００℃での動粘度が９０〜３，０００ｍｍ２／ｓであり、かつ、重量平均分子量が２，５００ダルトンを超える重質ポリαオレフィンの群から選択される少なくとも１種の化合物、または
（ｉｉ）ＡＳＴＭ  Ｄ４４５規格に従い測定される１００℃での動粘度が１．５〜６ｍｍ２／ｓであり、ＡＳＴＭ  Ｄ４４５規格に従い測定される４０℃での動粘度が４〜３０ｍｍ２／ｓであり、かつ、重量平均分子量が５００ダルトン未満である軽質ポリαオレフィンの群から選択される少なくとも１種の化合物と、重量平均分子量が３０，０００ダルトン未満である少なくとも１種のポリメタクリレート系化合物との組合せ、
を含む、ギアボックス用の潤滑剤組成物。
【請求項２】
請求項１において、式：Ｒ１ＣＯＯＣＨ３で表される少なくとも１種の脂肪酸メチルエステル（式中、Ｒ１は炭素数１１〜２３のモノ、ジまたはトリ不飽和オレフィン基である）を少なくとも２０重量％含む、ギアボックス用の潤滑剤組成物。
【請求項３】
請求項１または２において、式：Ｒ２ＣＯＯＣＨ３で表される少なくとも１種の脂肪酸メチルエステル（式中、Ｒ２は炭素数１１〜２３のモノ不飽和オレフィン基である）を少なくとも２０重量％含む、ギアボックス用の潤滑剤組成物。
【請求項４】
請求項２または３において、オレフィン基Ｒ１および／またはＲ２の不飽和結合がシス配置である、ギアボックス用の潤滑剤組成物。
【請求項５】
請求項１から４のいずれか一項において、重質ポリαオレフィンの含有量が少なくとも１０質量％であり、脂肪酸メチルエステルの含有量が少なくとも６０質量％である、ギアボックス用の潤滑剤組成物。
【請求項６】
請求項５において、式：Ｒ１ＣＯＯＣＨ３で表される少なくとも１種の脂肪酸メチルエステル（式中、Ｒ１は炭素数１１〜２３のモノ、ジまたはトリ不飽和オレフィン基である）を少なくとも５０重量％、好ましくは少なくとも５５重量％含む、ギアボックス用の潤滑剤組成物。
【請求項７】
請求項５または６において、式：Ｒ２ＣＯＯＣＨ３で表される少なくとも１種の脂肪酸メチルエステル（式中、Ｒ２は炭素数１１〜２３のモノ不飽和オレフィン基である）を少なくとも４５重量％含む、ギアボックス用の潤滑剤組成物。
【請求項８】
請求項１から４のいずれか一項において、軽質ポリαオレフィンの含有量が少なくとも１０質量％であり、脂肪酸メチルエステルと少なくとも１種のポリメタクリレート系化合物との混合物の含有量が少なくとも６０質量％である、ギアボックス用の潤滑剤組成物。
【請求項９】
請求項８において、ポリメタクリレート系化合物の質量％と脂肪酸エステルの質量％との比が０．８〜１．２である、ギアボックス用の潤滑剤組成物。
【請求項１０】
請求項１から９のいずれか一項において、式：ＲＣＯＯＣＨ３で表される少なくとも１種の脂肪酸メチルエステル（式中、Ｒは炭素数１１〜２３のパラフィン基またはオレフィン基である）を、当該潤滑剤組成物に含まれる脂肪酸エステルの全重量に対して少なくとも８５％含む、ギアボックス用の潤滑剤組成物。
【請求項１１】
請求項１０において、式：Ｒ１ＣＯＯＣＨ３で表される少なくとも１種の脂肪酸メチルエステル（式中、Ｒ１は炭素数１１〜２３のモノ、ジまたはトリ不飽和オレフィン基である）を、当該潤滑剤組成物に含まれる脂肪酸エステルの全重量に対して少なくとも７５％含む、ギアボックス用の潤滑剤組成物。
【請求項１２】
請求項１０または１１において、式：Ｒ２ＣＯＯＣＨ３で表される少なくとも１種の脂肪酸メチルエステル（式中、Ｒ２は炭素数１１〜２３のモノ不飽和オレフィン基である）を、当該潤滑剤組成物に含まれる脂肪酸エステルの全重量に対して少なくとも６５％含む、ギアボックス用の潤滑剤組成物。
【請求項１３】
請求項１１または１２において、オレフィン基Ｒ１および／またはＲ２の不飽和結合がシス配置である、ギアボックス用の潤滑剤組成物。
【請求項１４】
請求項１０から１３のいずれか一項において、飽和脂肪酸エステルを、当該潤滑剤組成物に含まれる脂肪酸エステルの全重量に対して最大１５％含む、ギアボックス用の潤滑剤組成物。
【請求項１５】
請求項１から１４のいずれか一項において、組成物中、ＡＳＴＭ  Ｄ２６２２規格に従い測定される硫黄元素の含有質量と、ＡＳＴＭ  Ｄ５１８５規格に従い測定されるリン元素の含有量との比Ｓ／Ｐが３〜６０であることを特徴とする、ギアボックス用の潤滑剤組成物。
【請求項１６】
請求項１から１５のいずれか一項において、ＡＳＴＭ  Ｄ２２７０規格に従い測定される粘度指数ＶＩが２５０を超えることを特徴とする、ギアボックス用の潤滑剤組成物。
【請求項１７】
請求項１から１６のいずれか一項に記載のギアボックス用の潤滑剤組成物の使用であって、Ｄｉｒｅｃｔｉｖｅ  ＥＥＣ９０／Ｃ８１／０１に準拠したＮＥＤＣ試験の規格条件下で測定される自動車の省燃費率が１％を超える、使用。
【請求項１８】
請求項１７において、省燃費率が、軽量自動車両のエンジンの省燃費率である、使用。
【請求項１９】
請求項１７または１８において、車両に、マニュアルギアボックス、オートマチックギアボックス、またはセミオートマチックギアボックスが装備されている、使用。
【請求項２０】
ＡＳＴＭ  Ｄ２２７０規格に従い測定される粘度指数ＶＩが２５０を超え、かつ、ＡＳＴＭ  Ｄ４４５規格に従い測定される１００℃での動粘度が７ｍｍ２／ｓ未満である、式：ＲＣＯＯＣＨ３で表される脂肪酸メチルエステル（式中、Ｒは炭素数１１〜２３のパラフィン基またはオレフィン基である）を少なくとも８５重量％含む脂肪酸メチルエステル系基剤であって、
Ｄｉｒｅｃｔｉｖｅ  ＥＥＣ９０／Ｃ８１／０１に準拠したＮＥＤＣ試験の規格条件下で、１％を超える省燃費率を達成可能なギアボックス用のオイルを配合するうえでの潤滑剤基剤として使用される脂肪酸メチルエステル系基剤。
【請求項２１】
請求項２０において、前記潤滑剤基剤が、式：Ｒ１ＣＯＯＣＨ３で表される少なくとも１種の脂肪酸メチルエステル（式中、Ｒ１は炭素数１１〜２３のモノ不飽和オレフィン基、ジ不飽和オレフィン基、またはトリ不飽和オレフィン基である）を少なくとも７５重量％含む、脂肪酸メチルエステル系基剤。
【請求項２２】
請求項２１において、前記潤滑剤基剤が、式：Ｒ２ＣＯＯＣＨ３で表される少なくとも１種の脂肪酸メチルエステル（式中、Ｒ２は炭素数１１〜２３のモノ不飽和オレフィン基である）を少なくとも６５％含む、脂肪酸メチルエステル系基剤。
【請求項２３】
請求項２０または２１において、オレフィン基Ｒ１および／またはＲ２の不飽和結合がシス配置である、脂肪酸メチルエステル系基剤。
【手続補正２】
【補正対象書類名】明細書
【補正対象項目名】０１６２
【補正方法】変更
【補正の内容】
【０１６２】
オイルＡには、重質ポリαオレフィン（重質ＰＡＯ）として、１００℃での動粘度が１，０００ｍｍ２／ｓである商品名ＳｐｅｃｔｒａＳｙｎ  １０００（ＥｘｘｏｎＭｏｂｉｌ  Ｃｈｅｍｉｃａｌｓ社製）を使用する。
【手続補正３】
【補正対象書類名】明細書
【補正対象項目名】０１６７
【補正方法】変更
【補正の内容】
【０１６７】
【表３】
2012504677.tif 000001